(57)【要約】      （修正有）【課題】通常のパイロット式背圧弁やその他のパイロット式自動制御弁の通常機能では対処できない各種事態にも対応できる様に強制的に主弁の開度を制御可能にする。【解決手段】本体１がダイヤフラム弁からなるパイロット式自動制御弁において、ダイヤフラム１０より上方突設した弁棒１８の上方を水密状に挿通支持する所定高さの直立管２１を本体１上部に突設し、直立管２１の上端開口部２１ａより外方突出する弁棒１８を螺挿したナット２２を前記上端開口部２１ａの端面２１ｂに着離可能に設け、弁棒１８の上限位置より高い丈を有するキャップ２３を直立管２１に着脱自在に被冠し、キャップ２３内部の弁棒１８上端に下端が着離可能と成す様に調節ネジ２４をキャップ２３の上端面より内部へ螺入貫通する。【選択図】図５
2020026844.tif 000002
【特許請求の範囲】
【請求項１】
本体側部に流入口と流出口を開設し、流入口に連通する一次側流路と、流出口に連通する二次側流路とを本体内部で区画形成すると共に、一次側流路と二次側流路とを弁口を介して連通し、該弁口を開閉する様に設けた主弁を弁バネにて閉弁方向に付勢し、主弁に連繋して設けたダイヤフラムにて本体内部をダイヤフラムの背面側に設けた圧力室と一次側流路側とに区画し、圧力室に二次側流路と連通するパイロット弁口を設け、該パイロット弁口を開閉するパイロット弁を、上面に圧力設定バネの弾性力を作用させ、下面に一次側圧力を作用させた圧力応動部材に連繋し、圧力室に絞りを介して一次側流路を連通したパイロット式背圧弁において、前記ダイヤフラム中心より上方突設した弁棒の上方を水密状に挿通支持する所定高さの直立管を本体上部に突設し、直立管の上端開口部より外方突出する弁棒を螺挿したナットを前記上端開口部の端面に着離可能に設け、弁棒の上限位置より高い丈を有するキャップを直立管に着脱自在に被冠し、キャップ内部の弁棒上端に下端が着離可能と成す様に調節ネジをキャップの上端面より内部へ螺入貫通したことを特徴とする主弁の強制開閉弁機構。
【請求項２】
本体側部に流入口と流出口を開設し、流入口に連通する一次側流路と、流出口に連通する二次側流路とを本体内部で区画形成すると共に、一次側流路と二次側流路とを弁口を介して連通し、該弁口を開閉する様に設けた主弁を弁バネにて閉弁方向に付勢し、主弁に連繋して設けたダイヤフラムにて本体内部をダイヤフラムの背面側に設けた圧力室と一次側流路側とに区画し、主弁の作動に必要な動力をパイロット弁によって制御して主弁を開閉するパイロット式自動制御弁において、前記ダイヤフラム中心より上方突設した弁棒の上方を水密状に挿通支持する所定高さの直立管を本体上部に突設し、直立管の上端開口部より外方突出する弁棒を螺挿したナットを前記上端開口部の端面に着離可能に設け、弁棒の上限位置より高い丈を有するキャップを直立管に着脱自在に被冠し、キャップ内部の弁棒上端に下端が着離可能と成す様に調節ネジをキャップの上端面より内部へ螺入貫通したことを特徴とする主弁の強制開閉弁機構。
【発明の詳細な説明】
【技術分野】
【０００１】
本発明は、パイロット式背圧弁やその他のパイロット式自動制御弁に用いられる主弁の強制開閉弁機構に関する。
【背景技術】
【０００２】
例えば、水資源不足が深刻な国では、十分な配水網が整備されていないため、浄水場や配水塔の近辺等の配水上流地域では所望の給水量を確保されるが、配水上流地域から遠ざかる配水末端地域や標高の高い地域では給水圧が不足の傾向にあり、一定の給水量を確保できていない。
【０００３】
そこで、配管経路中の要所要所にパイロット式背圧弁（例えば特許文献１参照）を配設し、水道の上流側の配水圧を制御して上流から下流末端までにわたって給水量を公平に分配することが考えられる。
【先行技術文献】
【特許文献】
【０００４】
【特許文献１】特許第３３４１１９８号公報
【発明の概要】
【発明が解決しようとする課題】
【０００５】
しかしながら、上記の様に配水網の整備が十分でないと、配水圧や配水量が不足がちのため、パイロット式背圧弁の機能だけでは制御しきれない事態に陥ることが想定される。
この様なことは上記パイロット式背圧弁に限ることではなく、その他のパイロット式自動制御弁においても、そのバルブ本来の機能だけでは対処できないといった課題を有している。
【０００６】
そこで、本発明では、パイロット式背圧弁やその他のパイロット式自動制御弁の通常機能では対処できない各種事態にも対応できる様に強制的に主弁の開度を制御可能にした主弁の強制開閉弁機構を提供することを目的としている。
【課題を解決するための手段】
【０００７】
上記課題に鑑み、本発明に係る主弁の強制開閉弁機構は、本体側部に流入口と流出口を開設し、流入口に連通する一次側流路と、流出口に連通する二次側流路とを本体内部で区画形成すると共に、一次側流路と二次側流路とを弁口を介して連通し、該弁口を開閉する様に設けた主弁を弁バネにて閉弁方向に付勢し、主弁に連繋して設けたダイヤフラムにて本体内部をダイヤフラムの背面側に設けた圧力室と一次側流路側とに区画してダイヤフラム弁と成し、該ダイヤフラム弁の圧力室に二次側流路と連通するパイロット弁口を設け、該パイロット弁口を開閉するパイロット弁を、上面に圧力設定バネの弾性力を作用させ、下面に一次側圧力を作用させた圧力応動部材に連繋し、圧力室に絞りを介して一次側流路を連通したパイロット式背圧弁、或いは、前記ダイヤフラム弁の主弁の作動に必要な動力をパイロット弁によって制御して主弁を開閉するパイロット式自動制御弁において、前記ダイヤフラム中心より上方突設した弁棒の上方を水密状に挿通支持する所定高さの直立管を本体上部に突設し、直立管の上端開口部より外方突出する弁棒を螺挿したナットを前記上端開口部の端面に着離可能に設け、弁棒の上限位置より高い丈を有するキャップを直立管に着脱自在に被冠し、キャップ内部の弁棒上端に下端が着離可能と成す様に調節ネジをキャップの上端面より内部へ螺入貫通したことを特徴とする。
【発明の効果】
【０００８】
要するに本発明のパイロット式背圧弁における主弁の強制開閉弁機構は、上記構成よりなるので、通常は、主弁の閉弁状態で弁棒において直立管の上端開口部端面に相当する部位又は当該部位より上方にナットを配置させると共に、主弁の全開状態で弁棒上端の上限以上の高さ位置に調節ネジ下端を配置することにより、一次側の流体圧力を、ある一定圧力に保持する様にして、一次側圧力の変化に応じ上流水を二次側へ放出して一次側圧力を調整する一般的な背圧弁として機能させることができる。
また、二次側で水を一気に使い過ぎて一次側圧力が設定圧より下がることが想定される場合には、主弁の閉弁状態で弁棒において直立管の上端開口部端面に相当する部位又は当該部位より上方にナットを配置させると共に、主弁の全開状態より小さい開度に対応した弁棒上端位置に調節ネジ下端を配置することにより、本来全開すべきところを全開より小さい開度に適宜対応した流量に制御して上流（一次）側の水量の枯渇を未然に阻止できる。
また、背圧弁を作動させるだけの十分な水量が一次側に供給されない場合に、主弁の閉弁状態で弁棒において直立管の上端開口部端面に相当する部位又は当該部位より上方にナットを配置させると共に、調節ネジを螺進させてその下端で弁棒上端を主弁が閉弁するまでを押し付けることにより一次側と二次側を遮断して断水したり、或いは、ナットを螺進させて主弁を全開より小さい開度を適宜保持するまで弁棒を引き上げると共に、該弁棒上端を調節ネジ下端で押し付ける様に螺進させることにより、主弁を所望開度に強制的に保持させて所定量の給水を確保したりする。
更に、本発明によれば、ナットを螺進させて主弁が全開するまで弁棒を引き上げるだけで、背圧機能が働くことなく、主弁が全開した弁口を通じて一次側流路から二次側流路への流路中を通水させることができるため、例えば配管工事に際し、その配管中に背圧弁が介装されていると、背圧弁が機能し、配管工事に支障を来し、背圧弁が故障する恐れもあるので、配管路中の背圧弁が機能しない様に、背圧弁にバイパス管を並列配管したり、背圧弁を一旦取外して通水だけを目的とした代用管を取り付け、配管工事後は、バイパス管を撤去したり、代用管を背圧弁に交換するなどの事前作業を必要としていたことが、不要となり、背圧弁を配管に取り付けた状態で配管工事を簡便に実施できるなど、通常の背圧弁の機能では対処できない上記各種事態にも対応できる。
【０００９】
また、本発明に係る強制開閉弁機構は、パイロット式背圧弁以外のパイロット作動式のバルブ、例えばパイロット式減圧弁やパイロット式定水位弁等に用いることにより、強制的に主弁の開度を制御できるため、そのパイロット式自動制御弁の通常機能では対処できない各種事態に対応した流量調整ができる等その実用的効果甚だ大である。
【図面の簡単な説明】
【００１０】
【図１】本発明に係る強制開閉弁機構を装備したパイロット式背圧弁の通常使用における主弁の閉弁状態を示す縦断面図である。
【図２】同上全開状態を示す縦断面図である。
【図３】パイロット弁の拡大断面図である。
【図４】絞りの拡大断面図である。
【図５】図１の要部拡大図である。
【図６】図２の要部拡大図である。
【図７】強制開閉弁機構で主弁の上限を半開に設定した場合の半開状態を示す要部拡大断面図である。
【図８】強制開閉弁機構による主弁の強制閉弁状態を示す要部拡大断面図である。
【図９】強制開閉弁機構による主弁の強制半開状態を示す要部拡大断面図である。
【図１０】強制開閉弁機構による主弁の強制全開状態を示す要部拡大断面図である。
【発明を実施するための形態】
【００１１】
以下本発明の実施の一形態例を図面に基づいて説明する。
図に示すパイロット式背圧弁は、その本体１が弁箱２とボンネット３で主に構成されたダイヤフラム弁からなり、該ダイヤフラム弁（本体）１に内装した後述の主弁13の作動に必要な動力（一次側圧力と二次側圧力との圧力差）を後述のパイロット弁27によって増減する様に制御することで主弁４を開閉する様に成したパイロット（作動）式バルブである。
【００１２】
弁箱２の左右側部には同一水平軸線上に流入口４と流出口５を開設し、弁箱２内部には、流入口４に連通する一次側流路６と、流出口５に連通する二次側流路７とを設け、該二次側流路７を内側に、一次側流路６をその外側に配置する様に隔壁８にて区画形成している。
【００１３】
隔壁８には軸線が流入口４の軸線に直交する上向きの弁口９を開口形成し、該弁口９を介して一次側流路６と二次側流路７とを連通させている。
【００１４】
弁箱２の上端には、一次側流路６及び弁口９に連通する開口部2aが設けられ、該開口部2aは、弁箱２と、これの上部を被冠するボンネット３の間に介在させたダイヤフラム10にて閉塞されている。
又、開口部2aにおいて、弁口９の周囲にはストレーナ11を設けている。
【００１５】
ボンネット３は、その内側にダイヤフラム10にて弁箱２内部（一次側流路６側）と区画される凹状空間を設けて成り、このダイヤフラム10の背面（上面）側に対応した凹状空間を圧力室12と成している。
【００１６】
ダイヤフラム10は、その下面に、弁口９の周囲に設けた弁座9aに対応する様にダイヤフラム10の下面を環状に突出した主弁13を設け、この様に主弁13をダイヤフラム10に一体形成することで、主弁13とダイヤフラム10を連繋している。
【００１７】
主弁13の内側のダイヤフラム10の下面と、主弁13に対応したダイヤフラム10の上面の夫々には、ダイヤフラム押さえ14、14ａを接合し、下方のダイヤフラム押さえ14ａの十字方向には、弁口９の内壁を外側縁が摺動する４枚の案内羽根15を垂設している。
【００１８】
そして、圧力室12の上部と上方の円板状ダイヤフラム押さえ14との間にコイル状の弁バネ16を圧縮介装し、該弁バネ16にて主弁13を閉弁方向へ付勢している。
【００１９】
尚、弁バネ16の上端は圧力室12の上部（ボンネット３）中心に垂下した扁平逆円錐台状の凸部17に外嵌することにより支持されている。
【００２０】
又、ダイヤフラム10の中心には、ダイヤフラム押さえ14を通してボンネット３の凸部17中心を貫通する弁棒18を上方突設し、ボンネット３上には弁棒18の位置及び状態を制御することにより、強制的に主弁13の開度を制御する強制開閉弁機構19を設けている。
【００２１】
強制開閉弁機構19は、弁棒18の上方をＯリング20にて水密状に挿通支持する所定高さの直立管21を本体１（ボンネット３）上部に突設している。
【００２２】
そして、直立管21の上端開口部21ａより外方突出する弁棒18を螺挿したナット22を上端開口部21ａの端面21ｂに着離可能に設け、主弁13が全開した時の弁棒18の上限位置より高い丈を有するキャップ23を直立管21に着脱自在に被冠している。
【００２３】
尚、直立管21に対するキャップ23の着脱は、直立管21外周に螺刻した雄ネジにキャップ23の下端開口部内周に螺刻した雌ネジを螺着・螺脱することで成しえ、ナット22の螺進・螺退はキャップ23を外して行う。
【００２４】
又、キャップ23の上端面には、該上端面よりキャップ23内部へ調節ネジ24を螺入貫通し、調節ネジ24の下端をキャップ23内部の弁棒18上端に着離可能と成しており、調節ネジ24にはロックナット24ａを螺着している。
【００２５】
ボンネット３上の流出口５側（図において右側）には、圧力室12に連通する突出口25を上方突設し、該突出口25には絞り管26を介してパイロット弁27の入口28を水密状に連通接続している。
【００２６】
パイロット弁27は入口28と出口29の流路が直角なアングル形の弁箱30を設け、該弁箱30において、入口28の上方には、これと同一軸線上にパイロット弁口31を設け、該パイロット弁口31は、出口29に二次側連通路32を介して接続した二次側流路７と連通している。
【００２７】
パイロット弁口31の上端面には、円環突条から成るパイロット弁座31ａを設け、該パイロット弁座31ａに着離してパイロット弁口31を開閉する子弁33を弁軸34下端に設けている。
【００２８】
弁軸34は、弁箱30上部に設けた漏斗状の凹部35の下部中心であって、該凹部35下方のパイロット弁口31と同一軸線上に形成した弁棒案内孔36に、Ｏリングにて水密状に摺動する様に挿通支持されている。
【００２９】
そして、凹部35の上部開口端に周設したフランジと、該凹部35を被冠するバネカバー37の下部開口端に周設したフランジとを、パイロット用のダイヤフラムから成る圧力応動部材38を介して接合固定し、該圧力応動部材38下面中心を弁軸34上端に接合して、圧力応動部材38に子弁33を連繋すると共に、圧力応動部材38で区画された凹部35の内部空間をパイロット圧力室39と成している。
【００３０】
圧力応動部材38の上面に接合した略円板状でダイヤフラム押さえ兼用のバネ受け40と、バネカバー37上端に突設した扁平円形段部37ａ上面よりバネカバー37内部へ螺入貫通した調節ボルト41下端に当接して成るバネ受け40ａとの間に圧力設定バネ42を圧縮介装し、これにより圧力応動部材38の上面に圧力設定バネ42の弾性力を作用させ、該弾性力は調節ボルト41による上下移動にて調整される。
【００３１】
尚、調節ボルト41にはロックナット41ａが螺着され、扁平円形段部37ａに下端開口部が外嵌螺着可能なトップキャップ43で調節ボルト41を被冠している。
【００３２】
パイロット圧力室39は、圧力応動部材38の下面に一次側圧力を作用させる様に、一次側流路６との間に一次側連通路44を接続し、該一次側連通路44の一次側流路６に望む開口部には、ストレーナ45を被冠している（図１、２参照）。
【００３３】
又、一次側流路６と圧力室12とを別途一次側連通路46にて連通し、該一次側連通路46中には螺旋状の細路から成る絞り47を介在し、該絞り47によって弁口９の閉弁時に圧力室12の圧力をコントロールしながら徐々に圧力室12に流体を供給して閉弁時のウオーターハンマー等の衝撃をなくしている。
尚、一次側連通路46の一次側流路６に望む開口部には、ストレーナ48を被冠している（図１、２参照）。
【００３４】
上記の様に構成されたパイロット式背圧弁にあっては、通常は、主弁13の閉弁状態で弁棒18において直立管21の上端開口部21ａの端面21ｂに相当する部位又は当該部位より上方にナット22を配置（図示例では上端開口部端面21ｂに着座、図１、５参照）させると共に、主弁13の全開状態で弁棒18上端の上限以上の高さ位置（図示例では上限位置、図２、６参照）に調節ネジ24下端を配置している。
この様に、強制開閉弁機構19を設定することにより、以下の様に一般的な背圧弁として機能させることができる。
【００３５】
即ち、一次側圧力が設定圧力より高くなると、圧力応動部材38は一次側連通路44からパイロット圧力室39内に流入する流体の（一次側）圧力によって圧力設定バネ42の弾性力に抗して上方（子弁33の開弁方向）へ変位し、これにより弁軸34を介して子弁33をパイロット弁座31ａから離脱させ、パイロット弁口31を開弁する。
【００３６】
上記開弁により、圧力室12は二次側連通路32を通じて二次側流路７に連通する。
又、一次側連通路46から圧力室12内へ流入する圧力流体は、圧力室12内に留まらず、二次側連通路32から二次側流路７、流出口５へ流下する。
【００３７】
そして、圧力室12内の圧力は、二次側圧力と等しくなるまで降下するため、一次側圧力により、ダイヤフラム10を開弁方向へ押し上げる様に変位させられるので、主弁13が弁座9aより離脱し、弁口９を開弁させられる。
【００３８】
これにより、流入口４（一次側流路６）と流出口５（二次側流路７）とは弁口９を介して連通し、一次側の圧力流体は流出口５側へ流下され、一次側圧力は降下する。
【００３９】
一次側流路６側の一次側圧力が設定圧力より低下すると、圧力設定バネ42の弾性力がパイロット圧力室39内の一次側圧力に抗して圧力応動部材38を下方（子弁33の閉弁方向）へ変位させ、上記とは逆に、子弁33をパイロット弁座31ａに着座させ、パイロット弁口31を閉弁する。
【００４０】
これにより、二次側流路７と圧力室12の間が遮断され、該圧力室12内には一次側連通路46からの一次側の圧力流体が供給され、圧力室12内が、一次側圧力とほぼ同一圧力となり、ダイヤフラム10は弁バネ16の弾性力により主弁13の閉弁方向（下方）へ変位し、これにより主弁13が弁座9aに着座して弁口９を閉弁する。
【００４１】
また、二次側で水を一気に使い過ぎて一次側圧力が設定圧より下がることが想定される場合には、主弁13の閉弁状態で弁棒18において直立管21の上端開口部21ａの端面21ｂに相当する部位又は当該部位より上方にナット22を配置（図示例では上端開口部端面21ｂに着座）させると共に、主弁13の全開状態より小さい開度（例えば図示例の半開状態、図７参照）に対応した弁棒18上端位置に調節ネジ24下端を配置することにより、本来全開すべきところを全開より小さい適宜開度に対応した流量で済ませる様にして上流（一次）側の水量の枯渇を未然に阻止できる。
【００４２】
また、背圧弁を作動させるだけの十分な水量が一次側に供給されていない場合には、主弁13の閉弁状態で弁棒18において直立管21の上端開口部21ａの端面21ｂに相当する部位又は当該部位より上方にナット22を配置（図示例では上端開口部端面21ｂに着座）させると共に、調節ネジ24を螺進させてその下端で弁棒18上端を主弁13が閉弁するまで押し付けることにより一次側と二次側を遮断して断水させたり（図８参照）、或いは、ナット22を螺進させて主弁13を全開より小さい適宜開度を保持するまで弁棒18を引き上げると共に、該弁棒18上端を調節ネジ24下端で押し付ける様に螺進させることにより、主弁13を所望開度に強制的に保持させて所定量の給水を確保する（図９参照）。
【００４３】
更に、本発明によれば、ナット22を螺進させて主弁13が全開するまで弁棒18を引き上げるだけで、背圧機能が働くことなく、主弁13が全開した弁口９を通じて一次側流路６から二次側流路７への流路中を通水させることができるため（図10参照）、例えば配管工事に際し、その配管中に背圧弁が介装されていると、背圧弁が機能し、配管工事に支障を来し、背圧弁が故障する恐れもあるので、配管路中の背圧弁が機能しない様に、背圧弁にバイパス管を並列配管したり、背圧弁を一旦取外して通水だけを目的とした代用管を取り付け、配管工事後は、バイパス管を撤去したり、代用管を背圧弁に交換するなどの事前作業を必要としていたことが、不要となり、背圧弁を配管に取り付けた状態で配管工事を簡便に実施できるなど、通常の背圧弁の機能では対処できない上記各種事態にも対応できる。
【００４４】
本実施例では、ダイヤフラム弁から成る本体１に強制開閉弁機構19を装備し、本来の背圧機能の他に主弁13の開度の強制的な制御が可能なパイロット式背圧弁を示したが、このパイロット式背圧弁に限らず、他のパイロット式の圧力調整弁（減圧弁、差圧弁等）、パイロット式電磁弁、パイロット式定水位弁や、その他のパイロット式自動制御弁においても、上記と同様に、その本体１に強制開閉弁機構19を適用でき、これにより各種状況に応じ強制的に主弁13の開度を制御可能にし、上記各バルブが本来有する機能では対処できない各種事態にも対応可能と成している。
【符号の説明】
【００４５】
１    本体
４    流入口
５    流出口
６    一次側流路
７    二次側流路
９    弁口
10    ダイヤフラム
12    圧力室
13    主弁
16    弁バネ
18    弁棒
21    直立管
21ａ  上端開口部
21ｂ  端面
22    ナット
24    調節ネジ
27    パイロット弁
31    パイロット弁口
38    圧力応動部材
42    圧力設定バネ
47    絞り
【図１】
2020026844.tif 000003
【図２】
2020026844.tif 000004
【図３】
2020026844.tif 000005
【図４】
2020026844.tif 000006
【図５】
2020026844.tif 000007
【図６】
2020026844.tif 000008
【図７】
2020026844.tif 000009
【図８】
2020026844.tif 000010
【図９】
2020026844.tif 000011
【図１０】
2020026844.tif 000012
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
本体側部に流入口と流出口を開設し、流入口に連通する一次側流路と、流出口に連通する二次側流路とを本体内部で区画形成すると共に、一次側流路と二次側流路とを弁口を介して連通し、該弁口を開閉する様に設けた主弁を弁バネにて閉弁方向に付勢し、主弁に連繋して設けたダイヤフラムにて本体内部をダイヤフラムの背面側に設けた圧力室と一次側流路側とに区画し、圧力室に二次側流路と連通するパイロット弁口を設け、該パイロット弁口を開閉するパイロット弁を、上面に圧力設定バネの弾性力を作用させ、下面に一次側圧力を作用させた圧力応動部材に連繋し、圧力室に絞りを介して一次側流路を連通したパイロット式背圧弁において、前記ダイヤフラム中心より上方突設した弁棒の上方を水密状に挿通支持する所定高さの直立管を本体上部に突設し、直立管の上端開口部より外方突出する弁棒を螺挿したナットを前記上端開口部の端面に着離可能に設け、弁棒は前記ナットの螺進で主弁が全開するまで引き上げられる長さの雄螺子を有し、弁棒の上限位置より高い丈を有するキャップを直立管に着脱自在に被冠し、キャップ内部の弁棒上端に下端が着離可能と成す様に調節ネジをキャップの上端面より内部へ螺入貫通したことを特徴とする主弁の強制開閉弁機構。
【請求項２】
本体側部に流入口と流出口を開設し、流入口に連通する一次側流路と、流出口に連通する二次側流路とを本体内部で区画形成すると共に、一次側流路と二次側流路とを弁口を介して連通し、該弁口を開閉する様に設けた主弁を弁バネにて閉弁方向に付勢し、主弁に連繋して設けたダイヤフラムにて本体内部をダイヤフラムの背面側に設けた圧力室と一次側流路側とに区画し、主弁の作動に必要な動力をパイロット弁によって制御して主弁を開閉するパイロット式自動制御弁において、前記ダイヤフラム中心より上方突設した弁棒の上方を水密状に挿通支持する所定高さの直立管を本体上部に突設し、直立管の上端開口部より外方突出する弁棒を螺挿したナットを前記上端開口部の端面に着離可能に設け、弁棒は前記ナットの螺進で主弁が全開するまで引き上げられる長さの雄螺子を有し、弁棒の上限位置より高い丈を有するキャップを直立管に着脱自在に被冠し、キャップ内部の弁棒上端に下端が着離可能と成す様に調節ネジをキャップの上端面より内部へ螺入貫通したことを特徴とする主弁の強制開閉弁機構。
【手続補正２】
【補正対象書類名】明細書
【補正対象項目名】０００７
【補正方法】変更
【補正の内容】
【０００７】
上記課題に鑑み、本発明に係る主弁の強制開閉弁機構は、本体側部に流入口と流出口を開設し、流入口に連通する一次側流路と、流出口に連通する二次側流路とを本体内部で区画形成すると共に、一次側流路と二次側流路とを弁口を介して連通し、該弁口を開閉する様に設けた主弁を弁バネにて閉弁方向に付勢し、主弁に連繋して設けたダイヤフラムにて本体内部をダイヤフラムの背面側に設けた圧力室と一次側流路側とに区画してダイヤフラム弁と成し、該ダイヤフラム弁の圧力室に二次側流路と連通するパイロット弁口を設け、該パイロット弁口を開閉するパイロット弁を、上面に圧力設定バネの弾性力を作用させ、下面に一次側圧力を作用させた圧力応動部材に連繋し、圧力室に絞りを介して一次側流路を連通したパイロット式背圧弁、或いは、前記ダイヤフラム弁の主弁の作動に必要な動力をパイロット弁によって制御して主弁を開閉するパイロット式自動制御弁において、前記ダイヤフラム中心より上方突設した弁棒の上方を水密状に挿通支持する所定高さの直立管を本体上部に突設し、直立管の上端開口部より外方突出する弁棒を螺挿したナットを前記上端開口部の端面に着離可能に設け、弁棒は前記ナットの螺進で主弁が全開するまで引き上げられる長さの雄螺子を有し、弁棒の上限位置より高い丈を有するキャップを直立管に着脱自在に被冠し、キャップ内部の弁棒上端に下端が着離可能と成す様に調節ネジをキャップの上端面より内部へ螺入貫通したことを特徴とする。
【手続補正３】
【補正対象書類名】明細書
【補正対象項目名】００１１
【補正方法】変更
【補正の内容】
【００１１】
以下本発明の実施の一形態例を図面に基づいて説明する。
図に示すパイロット式背圧弁は、その本体１が弁箱２とボンネット３で主に構成されたダイヤフラム弁からなり、該ダイヤフラム弁（本体）１に内装した後述の主弁13の作動に必要な動力（一次側圧力と二次側圧力との圧力差）を後述のパイロット弁27によって増減する様に制御することで主弁13を開閉する様に成したパイロット（作動）式バルブである。
【手続補正４】
【補正対象書類名】明細書
【補正対象項目名】００２２
【補正方法】変更
【補正の内容】
【００２２】
そして、直立管21の上端開口部21ａより外方突出する弁棒18を螺挿したナット22を上端開口部21ａの端面21ｂに着離可能に設け、弁棒18はナット22の螺進で主弁13が全開するまで引き上げられる長さの雄螺子（図示せず）を有し、主弁13が全開した時の弁棒18の上限位置より高い丈を有するキャップ23を直立管21に着脱自在に被冠している。